(57)【要約】【課題】  長さが１０００ｍｍ以下の短尺木材の専用加工機をメインの長尺木材用プレカット装置と別途に設置することによって、長さが８００ｍｍ未満の短尺木材の加工をも自動化し、しかも、短尺木材の加工をメインの長尺木材プレカット装置で行わないことによって、木材のプレカット加工能率を大幅に向上させることができる。【解決手段】  木材の高さ方向に孔あけ等の加工を施すための上下面加工機７と、木材の側面に溝掘り等の加工および木材の横方向に孔あけ等の加工を施すための側面加工機８と、木材の木口に蟻溝掘り等の加工を施すための木口加工機１１と、予め設定された加工データに基づいて、上下面加工機７、側面加工機８および木口加工機１１に加工指令を発するための制御器とを備えた木材プレカット装置において、短尺木材の専用加工機１４を別途設ける。【選択図】  図１
2005199574.tif 000002
【特許請求の範囲】
【請求項１】
木材の高さ方向に孔あけ等の加工を施すための上下面加工機と、木材の側面に溝掘り等の加工および木材の横方向に孔あけ等の加工を施すための側面加工機と、木材の木口に蟻溝掘り等の加工を施すための木口加工機と、予め設定された加工データに基づいて、前記上下面加工機、前記側面加工機および前記木口加工機に加工指令を発するための制御器とを備えた木材プレカット装置において、短尺木材の専用加工機を別途設けたことを特徴とする木材プレカット装置。
【請求項２】
前記短尺木材は、長さが１０００ｍｍ以下であることを特徴とする、請求項１記載の木材プレカット装置。
【請求項３】
前記短尺木材の専用加工機は、前記短尺木材の側面に加工を施すための側面加工機と、前記短尺木材の上下面に加工を施すための上下面加工機と、前記上下面加工機および前記側面加工機により加工された後の前記短尺木材を所定長さに切断するための切断機と、前記切断機により所定長さに切断された前記短尺木材に木口加工を施すための木口加工機とを備えていることを特徴とする、請求項１または２記載の木材プレカット装置。
【請求項４】
前記切断機により所定長さに切断された前記短尺木材を反転させるための反転機を備え、一台の前記短尺木材用木口加工機により前記短尺木材の両端に木口加工を施すことを特徴とする、請求項３記載の木材プレカット装置。
【発明の詳細な説明】
【技術分野】
【０００１】
この発明は、木材プレカット装置、特に、長さが１０００ｍｍ以下の短尺木材の専用加工機をメインの汎用プレカット装置と別途に設置することによって、手加工により行っていた長さが８００ｍｍ未満の短尺木材の加工をも自動化し、しかも、短尺木材の加工を汎用プレカット装置で行わないことによって、木材のプレカット加工能率を大幅に向上させることができる木材プレカット装置に関するものである。
【背景技術】
【０００２】
汎用の木材プレカット装置は、一般的に住宅モジュールと呼ばれる９１０ｍｍや１０００ｍｍの長さを基準とし、このピッチに配置された構造材（木材）の加工に対応するように開発されている。従って、最小の構造材の加工長さは、８００ｍｍ程度であった。
【０００３】
しかしながら、狭小地等に建築される住宅では、上記住宅モジュールでは対応できず、所謂、「間崩れ」と称される変則モジュールで構造材を配置する必要性が生じる。従って、構造材の最小長さは、８００ｍｍ未満となってしまい汎用の木材プレカット装置では加工が行えなかった。このような場合、８００ｍｍ未満の長さの短尺構造材の加工は、全て手加工で行わざるを得ず、その分、構造材の加工に多大の時間と手間を要していた。
【０００４】
また、近年、住宅建築の合理化や建築現場での安全性向上等を目的として、厚物合板を使用した床パネルを使用する工法が広がっている。なお、従来工法は、上記住宅モジュールの２倍程度の間隔に配置された構造材間に、３００ｍｍ程度の間隔をあけて根太と称される補助構造材を配して床の基礎を構成し、この上に薄物の合板を乗せる工法である。このような従来工法に比べて、床パネルを使用する工法は、上記モジュール間隔に配した構造材上に厚物パネルを乗せて釘打ちするために、根太を使用しない分、作業効率が向上する。しかも、この床パネル工法により二階の床を施工する場合には、構造材が配置されると直ちに前記厚物合板を乗せられるので、これが作業用プラットホームとなり作業の安全性が高まる。
【０００５】
しかしながら、上述した床パネル工法は、根太を使用する従来工法に比べて、構造材の本数、特に、モジュール間に配される１０００ｍｍ以下の短尺構造材の本数が増加するので、プレカット装置による構造材の加工能率が大幅に低下する。
【発明の開示】
【発明が解決しようとする課題】
【０００６】
上述したように、汎用のプレカット装置では、８００ｍｍ未満の構造材の加工が行えず、このような短尺構造材の加工は、手加工により行わざるを得ないので、その分、構造材の加工に多大の時間と手間を要していた。また、床パネル工法は、根太を使用する従来工法に比べて、構造材の本数、特に、１０００ｍｍ以下の短尺構造材の本数が増加するので、プレカット装置による構造材の加工能率が大幅に低下する。
【０００７】
従って、この発明の目的は、長さが１０００ｍｍ以下の短尺木材の専用加工機をメインの汎用プレカット装置と別途に設置することによって、長さが８００ｍｍ未満の短尺木材の加工をも自動化し、しかも、短尺木材の加工を汎用プレカット装置で行わないことによって、木材のプレカット加工能率を大幅に向上させることができる木材プレカット装置を提供することにある。
【課題を解決するための手段】
【０００８】
この発明は、上記目的を達成するためになされたものであって、下記を特徴とするものである。
【０００９】
請求項１記載の発明は、木材の高さ方向に孔あけ等の加工を施すための上下面加工機と、木材の側面に溝掘り等の加工および木材の横方向に孔あけ等の加工を施すための側面加工機と、木材の木口に蟻溝掘り等の加工を施すための木口加工機と、予め設定された加工データに基づいて、前記上下面加工機、前記側面加工機および前記木口加工機に加工指令を発するための制御器とを備えた木材プレカット装置において、短尺木材の専用加工機を別途設けたことに特徴を有するものである。
【００１０】
請求項２記載の発明は、請求項１記載の発明において、短尺木材は、長さが１０００ｍｍ以下であることに特徴を有するものである。
【００１１】
請求項３記載の発明は、請求項１または２記載の発明において、短尺木材の専用加工機は、短尺木材の側面に加工を施すための側面加工機と、短尺木材の上下面に加工を施すための上下面加工機と、前記上下面加工機および前記側面加工機により加工された後の短尺木材を所定長さに切断するための切断機と、前記切断機により所定長さに切断された短尺木材に木口加工を施すための短尺木材用木口加工機とを備えていることに特徴を有するものである。
【００１２】
請求項４記載の発明は、請求項３記載の発明において、切断機により所定長さに切断された短尺木材を反転させるための反転機を備えていることに特徴を有するものである。
【発明の効果】
【００１３】
この発明によれば、長さが１０００ｍｍ以下の短尺木材の専用加工機をメインの長尺木材用プレカット装置と別途に設置することによって、長さが８００ｍｍ未満の短尺木材の加工をも自動化し、しかも、短尺木材の加工をメインの長尺木材プレカット装置で行わないことによって、木材のプレカット加工能率を大幅に向上させることができる。
【発明を実施するための最良の形態】
【００１４】
この発明の木材プレカット装置の一実施態様を、図面を参照しながら説明する。
【００１５】
図１は、この発明の木材プレカット装置を示す概略平面図、図２は、短尺木材の専用加工機を示す概略平面図である。
【００１６】
図１において、１は、ローラーコンベアからなる木材２の搬入コンベアであり、未加工の木材２を加工ラインに搬入する。３は、搬入された木材２の長さを測定するための光電式長さ測定器、４は、長さ測定された木材２の幅を測定するための幅測定器であり、木材２の幅方向にそってシリンダにより自在に移動する一対のクランプと前記シリンダに取り付けられたエンコーダとを備えている。５は、幅測定器４に続いて設けられた木材２の高さを測定するための高さ測定器であり、木材２の高さ方向にそってシリンダにより自在の昇降する押えバーと前記シリンダに取り付けられたエンコーダとを備えている。６は、図示しない制御器に予め設定されたＣＡＤ／ＣＡＭデータに従って木材２を所定長さに切断する切断機である。
【００１７】
切断機６により切断された木材２の長さデータは、幅測定器４および高さ測定器５による幅、高さデータと共に前記制御器に入力される。前記制御機は、切断された木材２を長尺木材加工ラインＡに送るか短尺材加工ラインＢに送るかを判断する。すなわち、長さが１０００ｍｍ以下で且つ後述する短尺木材の専用加工機で加工可能な木材は、短尺木材加工ラインＢに送られ、それ以外の長尺木材は、汎用のプレカット装置が設置された長尺木材加工ラインＡに送られる。
【００１８】
前記制御器は、木材が予め設定されている製品形状に加工することができるものか否かを判断し、加工可能と判断した場合には、最も歩留り良く加工できる製品形状を選択し、その加工指令を後述する各加工機に順次、指令する。
【００１９】
７は、長尺木材加工ラインＡの第１中間コンベア、８は、長尺木材用上下面加工機であり、長尺木材の高さ方向に孔あけ等の加工を施す。上下面加工機８は、複数個の異なる刃物を木材の高さ方向に昇降自在に設けたものからなる。刃物としては、ボーリング、角のみ等がある。
【００２０】
９は、長尺木材用側面加工機であり、上下面加工機８に続いて設けられ、長尺木材の両側面に溝掘り等の加工を施したり、長尺木材の幅方向に孔あけ等の加工を施す。側面加工機９は、異なる刃物を長尺木材の高さ方向に一列に並べて設けたものからなる。刃物としては、蟻溝カッタ、ルータ、ボーリング等がある。
【００２１】
１０は、溝加工機であり、側面加工機９に続いて設けられ、長尺木材に垂木欠き、隅木欠き等の加工を施す。溝加工機１０は、刃物を、長尺木材の幅方向に移動可能且つ水平面内、垂直面内において傾動可能に設けたものからなる。
【００２２】
１１は、長尺木材加工ラインＡの第２中間コンベア、１２は、長尺木材用木口加工機であり、溝加工機１０に続いて設けられ、長尺木材の木口に蟻溝掘り等の加工を施す。木口加工機１１は、異なる刃物を放射状に配したものからなる。刃物としては、蟻溝カッタ、蟻雄カッタ、平カッタ等がある。
【００２３】
１３は、長尺木材用搬出コンベアであり、全ての加工が終了した製品長尺木材２Ａを長尺木材加工ラインＡ外に搬出する。
【００２４】
１４は、短尺木材用搬入コンベア、１５は、上述した汎用プレカット装置に別途設置した短尺木材の専用加工機である。短尺木材の専用加工機１５は、図２に示すように、短尺木材の側面に孔あけ等の加工を施すための短尺木材用側面加工機１６と、短尺木材の上下面に溝掘り等の加工を施すための短尺木材用上下面加工機１７と、側面加工機１６および上下面加工機１７により加工された後の短尺木材を所定長さに切断するための切断機１８と、切断機１８により所定長さに切断された短尺木材に木口加工を施すための短尺木材用木口加工機１９とを備えている。２０は、反転台であり、所定長さに切断された短尺木材を１８０°回転させて、一台の木口加工機１９により短尺木材の両端への木口加工を可能にする。
【００２５】
２１は、短尺木材用搬出コンベアであり、全ての加工が終了した製品短尺木材２Ｂを短尺木材加工ラインＢ外に搬出する。２２は、長さ測定器３、幅測定器４および高さ測定器５によって木材２の形状が測定された結果、加工が不適であると判断された加工不適木材用搬出コンベアである。
【００２６】
このように構成されている、この発明の木材プレカット装置によれば、以下のようにして、木材にプレカット加工が施される。
【００２７】
搬入コンベア１によって木材２が加工ラインに搬入されると、長さ測定器３、幅測定器４および高さ測定器５によって木材２の形状が測定された後、木材２は、制御器に予め設定されたＣＡＤ／ＣＡＭデータに従って所定長さに切断される。そして、１０００ｍｍ以下の長さで且つ短尺木材の専用加工機１５で加工可能な短尺木材は、短尺木材加工ラインＢに送られ、それ以外の長尺木材は、長尺木材加工ラインＡに送られる。なお、上記制御器による判断の結果、長尺木材および短尺木材の何れにも加工が不適であると判断された木材は、加工不適木材用搬出コンベア２２から加工ライン外に搬出される。
【００２８】
長尺木材加工ラインＡに送られた長尺木材は、第１中間コンベア７を経て長尺木材用上下面加工機８に送られ、ここで、孔あけ等の加工が施され、次いで、長尺木材用側面加工機９により溝掘り、孔あけ等の加工が施され、次いで、溝加工機１０により垂木欠き、隅木欠き等の加工が施される。このようにして加工が施された長尺木材は、第２中間コンベア１１を経て長尺木材用木口加工機１２に送られ、ここで木口加工が施される。このようにして全ての加工が施された製品長尺木材２Ａは、長尺木材用搬出コンベア１３によって長尺木材加工ラインＡ外に搬出される。
【００２９】
一方、短尺木材加工ラインＢに送られた短尺木材は、短尺木材用搬入コンベア１４により短尺木材の専用加工機１５に送られる。短尺木材の専用加工機１５に送られた短尺木材は、先端が位置決めされ、短尺木材用側面加工機１６により孔あけ等の加工が施され、次いで、短尺木材用上下面加工機１７により溝掘り等の加工が施され、この後、所定長さに切断機１８により切断される。所定長さに切断された短尺木材は、反転台２０に乗せられ、長尺木材用木口加工機１２により一端に木口加工が施され、この後、反転台２０により１８０°反転され、他端に木口加工が施される。このようにして全ての加工が施された製品短尺木材２Ｂは、短尺木材用搬出コンベア２１によって短尺木材加工ラインＢ外に搬出される。
【００３０】
このように、長尺木材の加工を汎用プレカット装置により行い、短尺木材の加工を専用加工機により行うことによって、従来の汎用プレカット装置では加工できなかった長さが８００ｍｍ未満の短尺木材の加工をも自動化でき、しかも、短尺木材の加工をメインの汎用プレカット装置で行わないことによって、木材全体の加工能率を大幅に向上させることができる。
【図面の簡単な説明】
【００３１】
【図１】この発明の木材プレカット装置を示す概略平面図である。
【図２】短尺木材の専用加工機を示す概略平面図である。
【符号の説明】
【００３２】
１：搬入コンベア
２：木材
２Ａ：製品長尺木材
２Ｂ：製品短尺木材
３：長さ測定器
４：幅測定器
５：高さ測定器
６：切断機
７：第１中間コンベア
８：長尺木材用上下面加工機
９：長尺木材用側面加工機
１０：溝加工機
１１：第２中間コンベア
１２：長尺木材用木口加工機
１３：長尺木材用搬出コンベア
１４：短尺木材用搬入コンベア
１５：短尺木材の専用加工機
１６：短尺木材用側面加工機
１７：短尺木材用上下面加工機
１８：切断機
１９：短尺木材用木口加工機
２０：反転台
２１：短尺木材用搬出コンベア
２２：加工不適木材用搬出コンベア
【図１】
2005199574.tif 000003
【図２】
2005199574.tif 000004